(57)【要約】【課題】利便性を向上するとともに組立工数を削減し、内容物の改竄を防止できる吊り下げ包装箱を提供する。【解決手段】筒状の胴部１０と、胴部１０の底面を閉じる底面部６と、胴部１０の両側面の上端に折り線を介して連設される側面フラップ２１、４１と、胴部１０の背面から上方に突出して吊り下げ用の貫通孔８７を設けた吊り下げ部８と、胴部１０の前面の上端に折り線を介して連設されるとともに胴部１０の上面を塞ぐ天面板７とを備えた吊り下げ包装箱１において、吊り下げ部８が胴部１０の背面を延設した突出部８０と、突出部８０の上端から折り返して突出部８０の前面に重ねられる第１重ね部８１と、第１重ね部８１の開放端に折り線から成る第１折曲部８４を介して連設されて第１折曲部８４で前方に折曲した天面フラップ８３とを有し、天面板７の後端に突設した挿入部７１が第１折曲部８４上に設けたスリット８６に挿入される。【選択図】図９
2015199518.tif 000002
【特許請求の範囲】
【請求項１】
筒状の胴部と、前記胴部の底面を閉じる底面部と、前記胴部の両側面の上端に折り線を介して連設される側面フラップと、前記胴部の背面から上方に突出して吊り下げ用の貫通孔を設けた吊り下げ部と、前記胴部の前面の上端に折り線を介して連設されるとともに前記胴部の上面を塞ぐ天面板とを備えた吊り下げ包装箱において、
前記吊り下げ部が前記胴部の背面を延設した突出部と、前記突出部の上端から折り返して前記突出部の前面に重ねられる第１重ね部と、第１重ね部の開放端に折り線から成る第１折曲部を介して連設されて第１折曲部で前方に折曲した天面フラップとを有し、
前記天面板の後端に突設した挿入部が第１折曲部上に設けたスリットに挿入されることを特徴とする吊り下げ包装箱。
【請求項２】
前記突出部の両側端部を傾斜した折り線から成る第２折曲部により折り返して前記突出部と第１重ね部との間に配される第２重ね部を有し、前記側面フラップと第２重ね部とが折り線を介して連設されることを特徴とする請求項１に記載の吊り下げ包装箱。
【請求項３】
第１重ね部の両側端部を第２折曲部に沿って斜めに形成したことを特徴とする請求項２に記載の吊り下げ包装箱。
【請求項４】
両端を第１折曲部上に配したコ字状の切り込みを前記天面フラップに形成し、前記天面フラップを第１折曲部で折曲することにより、前記切り込み及び第１重ね部により囲まれた前記スリットが形成されることを特徴とする請求項１〜請求項３のいずれかに記載の吊り下げ包装箱。
【発明の詳細な説明】
【技術分野】
【０００１】
本発明は、商品を包装して店舗内等に吊り下げられる吊り下げ包装箱に関する。
【背景技術】
【０００２】
従来の吊り下げ包装箱は特許文献１に開示されている。この吊り下げ包装箱は内容物を収納する断面矩形の筒状の胴部を有し、胴部の上面及び底面はそれぞれ天面板及び底面部により閉じられる。天面板は胴部の前面の上端に折り線を介して連設される。天面板の後端部は折り線から成る折曲部を介して胴部内に向かって折り曲げられる。胴部の両側面の上端には折り線を介して側面フラップが連設される。側面フラップの後端面には挿入部が突設され、挿入部は天面板の折曲部に設けられたスリットに挿入される。これにより、天面板は側面フラップに係止され、胴部の上面を閉じた状態を維持することができる。
【０００３】
胴部の背面には上方に突出する吊り下げ部が設けられる。吊り下げ部には吊り下げ用の貫通孔が設けられる。吊り下げ部は胴部の背面を延設した突出部と、突出部の上端から折り返して突出部の前面に重ねられる重ね部とを有する。重ね部の下端は胴部内に進入し、胴部の背面と天面板の後端部との間に配される。これにより、吊り下げ部の強度を向上するとともに、重ね部が天面板により抜け止めされる。
【先行技術文献】
【特許文献】
【０００４】
【特許文献１】実開平６−７８２１７号（第６頁、第７頁、第１図、第５図）
【発明の概要】
【発明が解決しようとする課題】
【０００５】
しかしながら、上記従来の吊り下げ包装箱によると、重ね部の下端が胴部内に進入するため、内容物を取り出す際に重ね部の下端に内容物が引っかかる場合がある。このため、吊り下げ包装箱から内容物を取り出すのに手間がかかり、吊り下げ包装箱の利便性が悪くなる問題があった。
【０００６】
また、重ね部を抜け防止のために長く形成すると、内容物が挿入された胴部内に重ね部を湾曲させながら挿入する必要がある。このため、内容物を収納した吊り下げ包装箱の組立時間が長くなり、吊り下げ包装箱の組立工数が大きくなる問題もあった。
【０００７】
さらに、天面板は側面フラップに係止されて閉じられ、天面板の後端部と重ね部との間には隙間が形成される。このため、天面板の後端部と重ね部との隙間を介して内容物が改竄される虞がある問題もあった。
【０００８】
本発明は、利便性を向上するとともに組立工数を削減し、内容物の改竄を防止できる吊り下げ包装箱を提供することを目的とする。
【課題を解決するための手段】
【０００９】
上記目的を達成するために本発明は、筒状の胴部と、前記胴部の底面を閉じる底面部と、前記胴部の両側面の上端に折り線を介して連設される側面フラップと、前記胴部の背面から上方に突出して吊り下げ用の貫通孔を設けた吊り下げ部と、前記胴部の前面の上端に折り線を介して連設されるとともに前記胴部の上面を塞ぐ天面板とを備えた吊り下げ包装箱において、前記吊り下げ部が前記胴部の背面を延設した突出部と、前記突出部の上端から折り返して前記突出部の前面に重ねられる第１重ね部と、第１重ね部の開放端に折り線から成る第１折曲部を介して連設されて第１折曲部で前方に折曲した天面フラップとを有し、前記天面板の後端に突設した挿入部が第１折曲部上に設けたスリットに挿入されることを特徴としている。
【００１０】
この構成によると、胴部の底面を底面部により閉じて胴部の上面を介して内容物が胴部内に収納される。貫通孔を有する吊り下げ部は胴部の背面を延設した突出部上に上端で折曲される第１重ね部が重ねられ、第１重ね部の開放端を第１折曲部により前方に折曲した天面フラップが設けられる。そして、天面フラップ上に配した天面板の後端に突設される挿入部を第１折曲部に設けたスリットに挿入することにより、胴部の上面が塞がれる。内容物を収納した吊り下げ包装箱は例えば、店舗内に設置されたアーム部材を吊り下げ部の貫通孔に挿通して吊り下げられる。
【００１１】
また本発明は、上記構成の吊り下げ包装箱において、前記突出部の両側端部を傾斜した折り線から成る第２折曲部により折り返して前記突出部と第１重ね部との間に配される第２重ね部を有し、前記側面フラップと第２重ね部とが折り線を介して連設されると好ましい。この構成によると、突出部及び側面フラップが第２重ね部を介して連結され、側面フラップ及び側面フラップ上に配される天面フラップの胴部内への進入が規制される。
【００１２】
また本発明は、上記構成の吊り下げ包装箱において、第１重ね部の両側端部を第２折曲部に沿って斜めに形成すると好ましい。この構成によると、第１重ね部の両側端部は突出部からはみ出さない。
【００１３】
また本発明は、上記構成の吊り下げ包装箱において、両端を第１折曲部上に配したコ字状の切り込みを前記天面フラップに形成し、前記天面フラップを第１折曲部で折曲することにより、前記切り込み及び第１重ね部により囲まれた前記スリットが形成されると好ましい。
【発明の効果】
【００１４】
本発明によると、吊り下げ部が胴部の背面を上方に延設した突出部と、突出部の上端から折り返して突出部の前面に重ねられる第１重ね部と、第１重ね部の開放端に折り線から成る第１折曲部を介して連設されて第１折曲部で前方に折曲した天面フラップとを有し、天面板の後端に突設した挿入部が第１折曲部上に設けたスリットに挿入される。これにより、第１重ね部が抜け止めされるとともに、第１重ね部の開放端が胴部よりも上方に配される。このため、吊り下げ包装箱の組立工数を削減するとともに、内容物を取り出す際の内容物と第１重ね部との引っかかりを低減して吊り下げ包装箱の利便性を向上させることができる。また、第１重ね部から天面フラップが前方に折曲されるため、天面板の後方に隙間が形成されず、内容物の改竄を防止することができる。
【図面の簡単な説明】
【００１５】
【図１】本発明の実施形態の吊り下げ包装箱の内容物を収納した状態を示す斜視図
【図２】本発明の実施形態の吊り下げ包装箱の内容物を収納する前の状態を示す斜視図
【図３】本発明の実施形態の吊り下げ包装箱の底面図
【図４】本発明の実施形態の吊り下げ包装箱のブランク板を示す展開図
【図５】本発明の実施形態の吊り下げ包装箱の天面板及び底面部を開いて胴部を扁平に押し潰した状態を示す正面図
【図６】本発明の実施形態の吊り下げ包装箱の天面板及び底面部を開いて胴部を扁平に押し潰した状態を示す底面図
【図７】本発明の実施形態の吊り下げ包装箱の胴部を扁平に押し潰した状態から組み立てる様子を底面側から見た斜視図
【図８】本発明の実施形態の吊り下げ包装箱の吊り下げ部を形成する様子を説明するための斜視図
【図９】本発明の実施形態の吊り下げ包装箱の吊り下げ部を形成した後に胴部の上面を天面板により塞ぐ様子を説明するための斜視図
【発明を実施するための形態】
【００１６】
以下に本発明の実施形態を図面を参照して説明する。図１及び図２は本発明の一実施形態の吊り下げ包装箱の斜視図を示している。図１は内容物を収納した状態の吊り下げ包装箱１を示し、図２は内容物を収納する前の吊り下げ包装箱１を示している。吊り下げ包装箱１は直方体形状を有し、筒状の胴部１０、天面板７及び底面部６（図３参照）を備える。吊り下げ包装箱１内には内容物（不図示）が収納される。内容物に特に限定はないが、例えばタイツ等の衣類や化粧品類等を挙げることができる。胴部１０は上端及び下端にそれぞれ開口面１０ａ、１０ｂ（開口面１０ｂについては図６参照）を有する。天面板７は上方の開口面１０ａを閉じ、底面部６は下方の開口面１０ｂを閉じる。
【００１７】
胴部１０は対向する前面板３及び背面板５を有するとともに対向する側面板２及び側面板４を有する。前面板３の右端及び背面板５の右端は側面板２により連結されるとともに前面板３の左端及び背面板５の左端は側面板４により連結される。これにより、胴部１０は上下方向に垂直な断面が矩形に形成される。また、側面板２と前面板３との間及び側面板４と背面板５との間には、胴部１０の上下方向に延びる折り線９０（図４参照）から成る折り畳み部９３、９４がそれぞれ設けられる。
【００１８】
前面板３の上端には折り線９０を介して天面板７が連設される。天面板７は前端に設けた折り線９０によって前面板３に対して折曲可能に形成され、後端に挿入部７１を有する。挿入部７１は天面板７の後端に突設され、スリット８６（図９参照）に挿入される。また、挿入部７１は基部７１ａから両側方に突出して形成される係止部７１ｂを有する。これにより、スリット８６に挿入された挿入部７１を上方に向けて引くと、係止部７１ｂがスリット８６の左右端に係止される。したがって、スリット８６に挿入された挿入部７１がスリット８６から抜けることを防止できる。
【００１９】
側面板２、４の上端には折り線９０を介してそれぞれ側面フラップ２１、４１が連設される。
【００２０】
背面板５の上方には吊り下げ部８が突出して設けられる。吊り下げ部８には吊り下げ用の貫通孔８７が設けられる。これにより、内容物を収納した吊り下げ包装箱１は例えば、店舗内に設置されたアーム部材（不図示）を吊り下げ部８の貫通孔８７に挿通して吊り下げられる。
【００２１】
吊り下げ部８は突出部８０、第１重ね部８１及び天面フラップ８３を有する。突出部８０は背面板５を上方に延設して形成される。第１重ね部８１は突出部８０の上端部から折り線９０で折り返して突出部８０の前面に重ねられる。突出部８０及び第１重ね部８１にはそれぞれ孔部８７ａ、８７ｂが設けられる。第１重ね部８１を突出部８０の前面に重ねた際に孔部８７ａ、８７ｂが重なり、貫通孔８７が形成される。
【００２２】
突出部８０の両側方には第２重ね部８２が設けられる。第２重ね部８２は突出部８０の両側端部を傾斜した折り線９０から成る第２折曲部８５により折り返される。これにより、第２重ね部８２は突出部８０と第１重ね部との間に配される（図８、図９参照）。
【００２３】
また、左右の第２重ね部８２はそれぞれ側面フラップ４１、２１に折り線９０を介して連設される。
【００２４】
第１重ね部８１の両側端部は第２折曲部８５に沿って斜めに形成される。例えば矩形形状の第１重ね部８１の左右端部の角部を第２折曲部８５に沿って斜めに切断する。これにより、第１重ね部８１は突出部８０の両側端部からはみ出さない。したがって、吊り下げ包装箱１の美観を向上させることができる。
【００２５】
天面フラップ８３は第１重ね部８１の開放端を折り線９０から成る第１折曲部８４で前方に折曲される（図９参照）。天面フラップ８３には両端を第１折曲部８４上に配したコ字状の切り込み８６ａが形成される。天面フラップ８３を第１折曲部８４で折曲することにより、切り込み８６ａ及び第１重ね部８１により囲まれたスリット８６（図９参照）が形成される。
【００２６】
図３は吊り下げ包装箱１の底面図を示している。吊り下げ包装箱１の底面部６は一対の第１底面板６３、６５、一対の接着片６３ａ、６５ａ及び一対の第２底面板６２、６４を有する。第１底面板６３、６５は折り線９０を介してそれぞれ前面板３及び背面板５の下端に連設される。接着片６３ａ、６５ａは前面板３に対して傾斜した折り線９０から成る折り畳み部９２を介してそれぞれ第１底面板６３、６５の側端に連設される。第２底面板６２、６４は折り線９０を介してそれぞれ側面板２、４の下端に連設される。第２底面板６２、６４は接着領域Ａ１、Ａ２（図４参照）を介して接着剤等によりそれぞれ接着片６３ａ、６５ａの内面の接着領域Ｂ１、Ｂ２（図４参照）に接着される。
【００２７】
第１底面板６３の先端部が第１底面板６５及び第２底面板６４の内面側に配されるとともに、第１底面板６５の先端部が第１底面板６３及び第２底面板６２の内面側に配される。この時、第１底面板６３、６５が互いに係合して底面部６が形成される。なお、底面部６の形成方法の詳細は後述する。
【００２８】
図４は吊り下げ包装箱１の展開図を示している。吊り下げ包装箱１を形成するブランク板１００は紙製のシートを打ち抜いて形成される。ブランク板１００の材質に特に限定はないが、例えばマニラボール、ボール紙、カード紙、クラフトボール等の板紙を用いることができる。また、樹脂シートによりブランク板１００を形成してもよい。樹脂シートとしては例えばＰＥＴ（ポリエチレンテレフタレート）やＰＰ（ポリプロピレン）から成る透明樹脂シートが好ましい。これにより、吊り下げ包装箱１に収納された内容物を容易に視認することができる。
【００２９】
側面板２、前面板３、側面板４及び背面板５は折り線９０を介して順に連設され、背面板５の一端には糊代片５５が折り線９０を介して連設される。前面板３の上端には折り線９０を介して天面板７が連設される。前面板３及び背面板５の下端には折り線９０を介してそれぞれ第１底面板６３、６５が連設される。
【００３０】
背面板５の上端には突出部８０が延設される。突出部８０の上端部には折り線９０を介して第１重ね部８１が連設され、第１重ね部８１の上端には折り線９０から成る折曲部８４を介して天面フラップ８３が連設される。突出部８０及び第１重ね部８１にはそれぞれ孔部８７ａ、８７ｂが形成される。
【００３１】
側面板２、４の上端には折り線９０を介してそれぞれ側面フラップ２１、４１が連設され、側面板２、４の下端には折り線９０を介してそれぞれ第２底面板６２、６４が連設される。第２底面板６２、６４の外面の一部にはそれぞれ接着領域Ａ１、Ａ２が形成される。
【００３２】
第１底面板６３、６５の図中、右方には、前面板３の底辺に対して約４５゜傾斜した折り線９０から成る折り畳み部９２を介してそれぞれ接着片６３ａ、６５ａが連設される。接着片６３ａ、６５ａの内面にはそれぞれ接着領域Ｂ１、Ｂ２が形成される。
【００３３】
図４のブランク板１００において、側面板２、４をそれぞれ折り線９０で前面板３の内面側に向けて略９０°折り曲げる。そして、背面板５を側面板４の内面側に向けて折り線９０で略９０°折り曲げるとともに、糊代片５５を背面板５の内面側に向けて折り線９０で略９０°折り曲げる。
【００３４】
そして、接着剤等により糊代片５５の外面を側面板２の後端部（図４において右端部）の内面に接着させる。これにより、筒状の胴部１０が形成される。
【００３５】
また、接着領域Ａ１、Ｂ１の少なくとも一方に接着剤等が塗布され、接着領域Ａ１、Ｂ１で第２底面板６２と接着片６３ａとが貼り合わされる。接着領域Ａ２、Ｂ２の少なくとも一方に接着剤等が塗布され、接着領域Ａ２、Ｂ２で第２底面板６４と接着片６５ａとが貼り合わされる。
【００３６】
そして、側面板２と前面板３との間の折り線９０から成る折り畳み部９３で側面板２と前面板３とが対向するように折り畳み、側面板４と背面板５との間の折り線９０から成る折り畳み部９４で側面板４と背面板５とが対向するように折り畳む。これにより、胴部１０を扁平に押し潰すことができる。
【００３７】
図５は胴部１０が扁平に押し潰された吊り下げ包装箱１の正面図を示している。図６は胴部１０が扁平に押し潰された吊り下げ包装箱１の底面図を示している。側面板２、４の内面はそれぞれ前面板３及び背面板５の内面に近接している。この時、第１底面板６３、６５は互いに離れている。すなわち、第１底面板６３、６５の係合は解除されている。また、折り畳み部９２は胴部１０の内部に向かって折曲られ、接着片６３ａ、６５ａはそれぞれ第１側面板６３、６５に重なって配される。
【００３８】
吊り下げ包装箱１は扁平に押し潰された容積の小さい状態で輸送や保管が行われる。これにより、吊り下げ包装箱１の輸送コスト及び保管コストを削減することができる。
【００３９】
図５の状態から折り畳み部９３、９４を互いに接近する方向に手指で押さえる。これにより、側面板２、４が前面板３及び背面板５に対して略垂直になるように胴部１０が起こされる。
【００４０】
図７は、胴部１０が扁平に押し潰された図５の状態から吊り下げ包装箱１を組み立てる際の底面部６が形成される様子を示す斜視図である。上記のように、折り畳み部９３を折り畳み部９４側へ押して胴部１０を起こすと、胴部１０の内部に向かって折曲られた折り畳み部９２が折り戻されて、第１底面板６３、６５が互いに係合して底面部６を形成する。この時、第１底面板６５の先端部が第１底面板６３及び第２底面板６２の内面側に配される。また、第１底面板６３の先端部が第１底面板６５及び第２底面板６４の内面側に配される。
【００４１】
以上のように、扁平に押し潰された胴部１０を起こすと同時に底面部６も形成される。すなわち、吊り下げ包装箱１はいわゆるオートボトム構造を有する。これにより、内容物を吊り下げ包装箱１に収納する場所で吊り下げ包装箱１を容易に組み立てることができる。そして、底面部６を形成した胴部１０内には、上方の開口面１０ａを介して内容物が収納される。
【００４２】
図８及び図９は吊り下げ包装箱１の吊り下げ部８を形成する様子を説明するための斜視図を示している。胴部１０内に内容物を収納した後に、図２の状態から第２折曲部８５で突出部８０の両側端部を胴部１０の内側に向けて折り返す。これにより、図８に示すように第２重ね部８２が突出部８０の前面に配される。この時、側面フラップ２１と右方の第２重ね部８２とが折り線９０を介して連設されているとともに、側面フラップ４１と左方の第２重ね部８２とが折り線９０を介して連設されている。このため、左右の第２重ね部８２を突出部８０の前面に重ねて配すると側面フラップ４１、２１が折り線９０で開口面１０ａに向けて略９０°折り曲げられ、図８に示すように開口面１０ａ上に略水平に配される。
【００４３】
その後に、第１重ね部８１を突出部８０の上端から折り返して突出部８０の前面に重ねる。これにより、第２重ね部８２は突出部８０と第１重ね部８１との間に配される。この時、第１折曲部８４で天面フラップ８３を前方に折り曲げる。これにより、図９に示すように、天面フラップ８３が側面フラップ２１、４１上に配され、吊り下げ部８が形成される。この時、第１重ね部８１が胴部１０の内部に進入しないため、吊り下げ部８を容易に形成し、吊り下げ包装箱１の組立工数を削減することができる。
【００４４】
また、側面フラップ２１、４１と第２重ね部８２とが折り線９０を介して連設され、側面フラップ２１、４１は開口面１０ａ上に略水平に配されている。このため、側面フラップ２１、４１の胴部１０の内部への落ち込みを防止することができる。また、天面フラップ８３は開口面１０ａ上で略水平に位置決めされ、天面フラップ８３の胴部１０の内部への落ち込みを防止することができる。したがって、吊り下げ包装箱１を組み立てる際の作業性を向上させることができる。
【００４５】
その後に、図９の状態から天面板７を天面フラップ８３上に折り線９０で折り曲げるとともに、挿入部７１を折り線９０で天面板７の内面側に向けて略９０°折り曲げる。そして、挿入部７１をスリット８６に挿入する。これにより、天面板７は胴部１０の上方の開口面１０ａを閉じ、内容物は吊り下げ包装箱１内に収納される。
【００４６】
吊り下げ包装箱１に内容物が収納された商品を購入した顧客等は、挿入部７１をスリット８６から抜くことによって天面板７を開いて内容物を取り出すことができる。この時、第１重ね部８１の開放端は胴部１０の内部に配されないため、取り出される内容物は第１重ね部８１の開放端に引っ掛かりにくくなる。これにより、吊り下げ包装箱１から内容物を容易に取り出すことができる。そして、内容物を取り出した吊り下げ包装箱１を図５に示すように折り畳み部９３、９４で折り畳んで扁平に押し潰すことにより減容化を図ってゴミ容量を削減することができる。
【００４７】
また、天面板７の後端（開放端）と胴部１０の上方の開口面１０ａとの間には天面フラップ８３が配される。これにより、天面板７の後端と第１重ね部８１との間の隙間を介した内容物の改竄を防止することができる。
【００４８】
なお、スリット８６に挿入された挿入部７１を上方に引くと、係止部７１ｂがスリット８６の左右端に係止される。この状態でさらに挿入部７１を上方に引くと、スリット８６の周縁部の吊り下げ部８が破断し、または挿入部７１が破断する。したがって、開封した痕跡が天面板７に残るため、天面板７を介した内容物の改竄をさらに防止することができる。
【００４９】
本実施形態によると、吊り下げ部８が胴部１０の背面板５（背面）を上方に延設した突出部８０と、突出部８０の上端から折り返して突出部８０の前面に重ねられる第１重ね部８１と、吊り下げ部８が第１重ね部８１の開放端を第１折曲部８４で前方に折曲した天面フラップ８３とを有し、天面板７の後端に突設した挿入部７１が第１折曲部８４上に設けたスリット８６に挿入される。これにより、第１重ね部８１が抜け止めされるとともに、第１重ね部８１の開放端が胴部１０よりも上方に配される。このため、吊り下げ包装箱１の組立工数を削減するとともに、内容物を取り出す際の内容物と第１重ね部８１との引っかかりを低減して吊り下げ包装箱１の利便性を向上させることができる。また、第１重ね部８１から天面フラップ８３が前方に折曲されるため、天面板７の後方に隙間が形成されず、内容物の改竄を防止することができる。
【００５０】
また、突出部８０の両側端部を傾斜した折り線から成る第２折曲部８５により折り返して突出部８０と第１重ね部８１との間に配される第２重ね部８２を有し、左右の第２重ね部８２はそれぞれ側面フラップ４１、２１と折り線９０を介して連設される。これにより、天面フラップ８３を開口面１０ａ上で略水平に容易に配置することができる。また、吊り下げ部８を形成する際に、側面フラップ２１、４１及び天面フラップ８３の胴部１０の内部への落ち込みを防止することができる。したがって、吊り下げ包装箱１を組み立てる際の作業性を一層向上させ、組立工数を削減することができる。また、吊り下げ部８の両端部は第１重ね部８１、第２重ね部８２及び突出部８０から成る三重構造になる。これにより、吊り下げ包装箱１の剛性を向上させることができる。
【００５１】
また、第１重ね部８１の両側端部を第２折曲部８５に沿って斜めに形成しているため、第１重ね部８１の突出部８０からのはみ出しを防止して第１重ね部８１の裏面の露出が防止される。したがって、吊り下げ包装箱１の美観を向上させることができる。
【００５２】
また、両端を第１折曲部８４上に配したコ字状の切り込み８６ａを天面フラップ８３に形成し、天面フラップ８３を第１折曲部８４で折曲することにより、切り込み８６ａ及び第１重ね部８１により囲まれたスリット８６が形成される。これにより、スリット８６の開口面は水平になるため、挿入部７１を容易にスリット８６に挿入することができる。したがって、吊り下げ包装箱１の組み立ての際の作業性をより向上させ、組立工数を削減することができる。
【００５３】
なお、本実施形態において、吊り下げ包装箱１の立体形状は、直方体に限定されず、例えば六角柱などの多角柱でもよい。
【産業上の利用可能性】
【００５４】
本発明は、商品を包装して店舗内等に吊り下げられる吊り下げ包装箱に利用可能である。
【符号の説明】
【００５５】
１    吊り下げ包装箱
２    側面板
３    前面板
４    側面板
５    背面板
６    底面部
７    天面板
８    吊り下げ部
１０    胴部
２１    側面フラップ
４１    側面フラップ
５５    糊代片
６２    第２底面板
６３    第１底面板
６３ａ  接着片
６４    第２底面板
６５    第１底面板
６５ａ  接着片
７１    挿入部
７１ｂ  係止部
８０      突出部
８１      第１重ね部
８２      第２重ね部
８３      天面フラップ
８４      第１折曲部
８５      第２折曲部
８６      スリット
８６ａ    切込み
８７      貫通孔
９０    折り線
９２、９３、９４    折り畳み部
１００    ブランク板
【図１】
2015199518.tif 000003
【図２】
2015199518.tif 000004
【図３】
2015199518.tif 000005
【図４】
2015199518.tif 000006
【図５】
2015199518.tif 000007
【図６】
2015199518.tif 000008
【図７】
2015199518.tif 000009
【図８】
2015199518.tif 000010
【図９】
2015199518.tif 000011